(57)【特許請求の範囲】
【請求項１】
記録機能部及び／又は再生機能部が内蔵されている装置本体部と、
上記装置本体部のトレイ出入れ口からディスク記録媒体が装填されて排出位置及び収納位置とに移動されるようにしたトレイと、
上記トレイのディスク収容部の少なくとも外周部に配されるようにした蓄光材と、
上記装置本体部内で上記トレイ上部に配置され、上記トレイの上記蓄光材を発光させる光源と、
からなり、上記トレイの排出動作に連動して上記光源を点灯し、上記トレイ出入れ口から排出動作される上記トレイの蓄光材を発光させ、上記トレイの排出動作完了後に上記光源を消灯させるようにしたことを特徴とするトレイを備えた記録及び／又は再生装置。
【請求項２】
請求項１記載のトレイを備えた記録及び／又は再生装置において、
上記光源が、蛍光ランプあるいは白熱ランプや高輝度ＬＥＤであることを特徴とするトレイを備えた記録及び／又は再生装置。
【請求項３】
請求項１記載のトレイを備えた記録及び／又は再生装置において、
上記光源が、ブラックライトであることを特徴とするトレイを備えた記録及び／又は再生装置。
【請求項４】
請求項３記載のトレイを備えた記録及び／又は再生装置において、
上記ブラックライトは、上記装置本体部内において上記トレイの蓄光材又はブラックライト用発光材を発光させると共に、上記ブラックライトからの光の一部を導光板を透過して上記装置本体部外へ排出動作された上記トレイの蓄光材に照射し発光させるようにしたことを特徴とするトレイを備えた記録及び／又は再生装置。
【発明の詳細な説明】
【０００１】
【発明の属する技術分野】
本発明は、暗くした室内においてもディスクの取り扱いを容易にできるようにしたトレイを備えた記録及び／又は再生装置に関し、詳しくは、トレイやディスクに蓄光材を処理することによって、トレイ及びディスクが光源からの光照射により発光し、ディスクの装填及び取出しを容易に行うことのできるようにしたものである。
【０００２】
【従来の技術】
近年、情報の大容量化を可能にしたＤＶＤプレーヤーが普及してきたことで、ＤＶＤの映像情報をテレビ画面に再生して見るだけでなく、ＤＶＤの映像情報を例えばプロジェクターに映し出して鑑賞するケースが増えてきている。しかし、プロジェクターを使用して映像をスクリーンに投影する場合には、テレビの場合と異なり部屋を暗くしないと鮮明な映像がとして見ることができないことが多い。
【０００３】
上述したようなことから暗い部屋でＤＶＤプレーヤーを操作しようとすると、機器フロントの操作ボタンやディスクを出し入れするためのトレイあるいはリモコンボタンの機能の判別がしずらい。しかし、ＤＶＤプレーヤーを操作するたびに部屋をいちいち明るくするのも煩わしい。このような不便を軽減することを目的としてプレーヤーに自照式のランプを点灯して周囲を明るくするようにしたり、リモコンの場合では蓄光塗料を施したキーパッドを採用したり、あるいはバックライトによってリモコンキーを照明する機能を持った商品が提案されている。
【０００４】
【発明が解決しようとする課題】
しかしながら、ディスクを出し入れするためのトレイに関しては、未だ効果的な解決策がなく、暗い部屋ではトレイ上にディスクを乗せる位置が判り難かったり、トレイ上に搭載されて排出されてきたディスクの位置が判り難いといった問題がある。
【０００５】
本発明は、上述したような課題を解消するためになされたもので、暗い部屋でもトレイへのディスクの装填及び取り出しを容易に行うことのできるトレイを備えた記録及び／又は再生装置を得ることを目的とする。
【０００８】
【課題を解決するための手段】
上述の目的を達成するために本発明によるトレイを備えた記録及び／又は再生装置は、記録機能部及び／又は再生機能部が内蔵されている装置本体部のトレイ出入れ口からディスク記録媒体が装填されて排出位置及び収納位置とに移動されるようにしたトレイと、トレイのディスク収容部の少なくとも外周部に配されるようにした蓄光材と、装置本体部内でトレイ上方に配置され、トレイの蓄光材を発光させる光源とからなり、トレイの排出動作に連動して光源を点灯し、トレイ出入れ口から排出動作されるトレイの蓄光材を発光させ、トレイの排出動作完了後に光源を消灯させるようにしたものである。
【０００９】
上述したトレイを備えた記録及び／又は再生装置によれば、トレイはイジェクトスイッチが操作されることでマイコンからの指令により排出動作が開始されると同時に光源が点灯され、トレイは光源からの光照射により蓄光材が発光する。従って、トレイは蓄光材が発光された状態でトレイ出入れ口から引き出され、排出されて出てきたトレイは蓄光材の発光によりディスク収容部の位置が明確に認識することができる。これによって、暗い部屋でもトレイへのディスクの装填やトレイからディスクの取り出しを容易に行うことができる。また、トレイの排出完了後に光源は消灯するが、蓄光材の残光作用により所定時間に亘って発光させることができる。
【００１０】
光源としてブラックライトを使用した場合には、可視光線がカットされた光線であるので、トレイが排出動作中にトレイ出入れ口から光源の光が漏れ出ても殆ど目に見えることもなく、発光した蓄光材のみが見え極めて幻想的である。
【００１３】
【発明の実施の形態】
以下、本発明によるディスク記録媒体用トレイ、トレイを備えた記録及び／又は再生装置及びディスク記録媒体の幾つかの実施の形態をＤＶＤプレーヤを例にとって図面を参照して説明する。
【００１４】
〔第１の実施の形態〕
図１はトレイが引き出された状態のＤＶＤプレーヤの外観斜視図、図２は同じくトレイが引き出された状態の断面図である。
【００１５】
符号１がＤＶＤプレーヤ本体であり、ＤＶＤプレーヤ本体１内には後述するＤＶＤ（以下、単にディスクという）に書き込まれている記録情報を光学ピックアップ機構等のデバイスにより読み取ることのできる図示しない再生機構部と共に、ディスクに記録情報を書き込むための記録機構部とが内蔵されている。
【００１６】
ＤＶＤプレーヤ本体１の前面のフロントパネル２には複数の操作ボタン群３及びジョグレバー４等の操作系を有すると共に、フロントパネル２の中央部にトレイ出し入れ口５が開口されている。このトレイ出し入れ口５からディスク６が装填されたトレイ７が操作ボタン群３のボタン操作により図１に示すように排出位置（イジェクト位置）と、ＤＶＤプレーヤ本体１内に引き込まれる収納位置（ローディング位置）とに図示しない例えばラックとピニオンを有する駆動機構によりスライド移動可能である。
【００１７】
尚、トレイ７は本例の実施の形態ではディスク径の異なる例えば１２ｃｍのディスクが装填されるディスク収容部７ａと、８ｃｍのディスクが装填されるディスク収容部７ｂとを有し、図１に示した実施の形態ではディスク収容部７ａにディスク径が１２ｃｍのディスク６が装填された場合を示している。
【００１８】
ここで、上述したトレイ７には図３に示すように、１２ｃｍのディスクが装填されるディスク収容部７ａの外周部分から内周部分に亘ってサークル状に蓄光材料８が形成され、同じく８ｃｍのディスクが装填されるディスク収容部７ｂの外周部分に蓄光材料９が形成されている。尚、ディスク収容部７ａに形成される蓄光材料８は、必ずしもしも内周部分に亘って形成される必要もなく、少なくともディスク収容部７ａの外周部分に形成されていればよい。
【００１９】
蓄光材料８，９は励起波長が２００〜４５０ｎｍの範囲で黄緑色に発光し、発光後は所定時間に亘って残光する発光物質である。また、上述した蓄光材料をトレイ７に形成する方法としては、蓄光材料をペレット化して樹脂成形加工が可能であることから、例えばトレイ７の蓄光材料８や蓄光材料９が形成される樹脂部分と、その他のトレイ成形部分とをいわゆる二色成形により成形する方法、また、蓄光材料をペイント化してトレイ７の蓄光材料８や蓄光材料９の部分に塗布する方法、あるいは蓄光材料をインク化して蓄光材料８や蓄光材料９の部分にスクリーン印刷する方法等がある。尚、蓄光材料として古くからあるいわゆる夜行塗料や蛍光塗料を用いることであってもよい。
【００２０】
一方、蓄光材料８及び蓄光材料９を発光する光源として本例の実施の形態では紫外線の波長が２５４ｎｍの一般照明用の蛍光ランプ１０（ピーク波長が４８０ｎｍ）が使用される。勿論、このピーク波長に限定されるものでなく、蛍光ランプには白色や昼光色等の種々の演色のものが発売されており、あるいは白熱ランプや高輝度ＬＥＤ等、蓄光材料を発光させる他のピーク波長のものが使用可能である。
【００２１】
蛍光ランプ１０は図３に示すようにＤＶＤプレーヤ本体１内のフロントパネル２の背面側で、トレイ７の横幅にほぼ対応する長さの直管状の蛍光ランプがトレイ７の上部に配置されている。また、蛍光ランプ１０には反射ミラー１１を有し、蛍光ランプ１０からの光が効果的にトレイ７上に照射できるようにされている。
【００２２】
ここで、トレイ７と蛍光ランプ１０との回路ブロック図を図４に示す。
フロントパネル２の操作ボタン群３の一つであるトレイイジェクトボタン３ａが操作されると、マイコン１２からの信号によりトレイ駆動回路１３が駆動され、トレイ７が収納位置から排出位置へイジェクト動作が開始される。同時にマイコン１２からの信号により蛍光灯点灯回路１４が駆動され、蛍光ランプ１０が点灯される。そして、トレイ７が排出完了位置にまで引き出されると、検出スイッチ等の信号を受け、マイコン１２からの信号によりトレイ駆動回路１３の駆動を停止すると同時に、蛍光灯点灯回路１４が蛍光ランプ１０を消灯する。
【００２３】
すなわち、本発明によれば、トレイ７のディスク収容部７ａにディスク径が１２ｃｍのディスク６が装填されている場合、トレイ７の蓄光材料８，９はディスク６により覆われていないディスク収容部７ａの外周部のみが露出した状態となり、このため、蛍光ランプ１０からの光によりディスク収容部７ａの外周部の蓄光材料８が発光された状態となってトレイ出入れ口５から引き出されてくる。これによって、ユーザーは暗い部屋において蓄光材料の黄緑色に光るリング状の発光によりディスク６の装填されている位置が明確に認識でき、ディスク６の取り出しを容易に行うことができる。
【００２４】
また、トレイ７にディスクが装填されていない空の状態でトレイ出入れ口５から引き出されてきた場合には、トレイ７の蓄光材料８及び９が共にリング状に発光して２つのディスク収容部７ａ，７ｂの位置が認識でき、ディスク径の異なるディスクの装填を容易に行うことができる。
【００２５】
図５はディスク６の表示面を上述したトレイ７に形成した蓄光材料８及び９と同様な蓄光材料１５で表示した例を示している。この場合、表示面としては蓄光材料１５により印刷等したラベルをディスク６の非記録面に貼り付ける方法、あるいはディスク６の非記録面に直接、蓄光材料１５により印刷表示する方法であってもよい。
【００２６】
これによれば、ディスク６は蓄光材料１５が蛍光ランプ１０の光により発光され、ディスク６の存在を認識することができるので、図６に示すようにトレイ７の収容部７ａにディスク径が１２ｃｍのディスク６が装填された状態でトレイ出入れ口５から引き出されてきたとき、トレイ７側の蓄光材料８と共にディスク６の蓄光材料１５が発光し、ディスク６の存在をより一層明確に認識することができるようになる。また、トレイ７の収容部７ｂにディスク径が８ｃｍのディスクが装填された状態も、同様にディスクの存在を明確に認識することができる。
【００２７】
また、ここでは図示しないがトレイ７側には蓄光材料を形成せず、ディスク６だけが蓄光材料により発光するようにしても、それぞれのディスク収容部に装填したディスクの存在を認識することができる。
【００２８】
また、トレイ７への蓄光材料の形態としてディスク収容部７ａ，７ｂにサークル状に形成する以外、図７に示すようにディスク収容部７ａ，７ｂの外周部分に複数のマーカーにした蓄光材料１６，１７を形成するようにしてもよい。
【００２９】
さらに、別の例として、図８に示すようにディスク収容部７ａの外周部に三角錐状に形成されている４つのディスク呼込み突起１８を蓄光材料が混入された樹脂材から成形することによって、このディスク呼込み突起１８が発光しディスクの装填を容易に行うことができる。
【００３０】
〔第２の実施の形態〕
図９は光源としてブラックライトを使用したＤＶＤプレーヤの外観斜視図、図１０は同じく断面図であり、上述した第１の実施の形態と同一構成部分には同じ符号を付して説明する。
【００３１】
ブラックライト１９は、高圧水銀ランプの発する超波長紫外線３６５ｎｍ付近に近い発光スペクトルのピークを持ち、光化学作用と蛍光作用の強い３１５ｎｍ〜４００ｎｍの波長域を放射するランプであり、可視光線を吸収し、この波長域の紫外線を効率よく透過する濃青色のフィルターガラスでカバーされている。従って、ブラックライト１９から発する光は紫外光で、人の目には殆ど見えないが、蓄光材料に照射されると、蓄光材料を黄緑色に発光させることができる。
【００３２】
すなわち、光源として第１の実施の形態による蛍光ランプに変えてブラックライト１９を用いることにより、トレイ出入れ口５から引き出されてきたトレイ７の蓄光材料あるいはディスクの蓄光材料が発光し、ディスク収容部やディスク自体の位置が明確になり、上述した第１の実施の形態の場合と同様に暗い部屋でのディスクの装填や取り出しを容易に行うことができる。
【００３３】
また、光源としてブラックライト１９を用いることで、ブラックライト１９からの光がトレイ出入れ口５から漏れ出ても人の目に見えることもなく、トレイ７の蓄光材料あるいはディスクの蓄光材料のみが黄緑色に発光し極めて幻想的である。
【００３４】
〔第３の実施の形態〕
図１１は光源としてブラックライト１９を用い場合の別の形態のＤＶＤプレーヤの外観斜視図、図１２は同じく断面図であり、上述した第２の実施の形態と同一構成部分には同じ符号を付して説明する。
【００３５】
これによれば、ブラックライト１９の側方に対峙するようにして光透過性のよい例えばアクリル樹脂からなる導光板２１をフロントパネル２に貫通するように支持し、導光板２１にはブラックライト１９側の端面の光入射面２１ａに可視光線を吸収するフイルター２２が設けられている。また、導光板２１のフロントパネル２から突き出た端面はトレイ７側に対面するように傾けた光射出面２１ｂに形成されている。
【００３６】
上述した構成によれば、ブラックライト１９からの光によりトレイ出入れ口５から引き出される前のトレイ７の蓄光材料あるいはディスクの蓄光材料を発光させると共に、ブラックライト１９の一部の光はフイルター２２を経て導光板２１を透過し、光射出面２１ｂから射出した光によりトレイ出入れ口５から引き出された後のトレイ７上に照射し、トレイ７の蓄光材料あるいはディスクの蓄光材料を引き続いて発光させるようにすることで、蓄光材料の発光がさらに一段と光り、ディスク収容部やディスクそのものを一層明確に認識することができる。
【００３７】
また、光射出面２１ｂから射出したブラックライト１９の光も人の目に見えることもないため、トレイ７の蓄光材料あるいはディスクの蓄光材料のみが光り一層幻想的となる。
【００３８】
さらに、ブラックライト１９は暗い所で蛍光塗料を鮮やかに発光させるので、トレイ７やディスク６をブラックライト用発光材料で処理すれば、赤色、緑色、黄色、青色等のカラフルで幻想的な雰囲気をかもしだすブラックライト独特の演出効果を楽しめるものである。
【００３９】
本発明は、上述しかつ図面に示した実施の形態に限定されるものでなく、その要旨を逸脱しない範囲内で種々の変形実施が可能である。
【００４０】
本例の実施の形態では、ＤＶＤプレーヤに適用した場合について説明したが、勿論、トレイに装填されて出し入れされる例えば音楽用のＣＤプレーヤやＭＤ（ミニディスク）プレーヤあるいはＣＤ−ＲＯＭ等が搭載されているようなパソコン等の情報電子機器にも広く適用可能である。
【００４１】
また、ＤＶＤやＣＤ等以外、ディスクカートリッジやテープカセットにも広く利用可能である。
【００４２】
【発明の効果】
以上説明したようにディスク記録媒体用トレイは、トレイのディスク収容部の少なくとも外周部に蓄光材を配し、光源からの光照射によりトレイ出入れ口から排出されたときのトレイの蓄光材を発光させ、ディスク装填位置を認識できるようにしたことで、ディスク収容部の位置が明確に認識することができ、暗い部屋でのトレイへのディスクの装填やトレイからディスクの取り出しを容易に行うことができるといった効果がある。
【００４３】
また、本発明によるトレイを備えた記録及び／又は再生装置は、記録機能部及び再生機能部が内蔵されている装置本体部のトレイ出入れ口からディスク記録媒体が装填されて排出位置及び収納位置とに移動されるようにしたトレイと、トレイのディスク収容部の少なくとも外周部に配されるようにした蓄光材と、装置本体部内でトレイ上部に配置され、トレイの蓄光材を発光させる光源とからなり、トレイの排出動作に連動して光源を点灯し、トレイ出入れ口から排出動作されるトレイの蓄光材を発光させるようにしたので、ディスク収容部の位置が明確に認識することができ、暗い部屋でのトレイへのディスクの装填やトレイからディスクの取り出しを容易に行うことができるといった効果がある。
【００４４】
しかも、光源としてブラックライトを使用することで、可視光線がカットされた光線であるのでトレイが排出動作中にトレイ出入れ口からブラックライトの光が漏れ出ても殆ど目に見えることもなく、発光した蓄光材又はブラックライト用発光材のみが見え極めて幻想的である。
【００４５】
また、ディスク記録媒体は、光源からの光照射により発光する蓄光材又はブラックライト用発光材を施したので、トレイに装填された状態でトレイ出入れ口から引き出されて出てきたディスクが蓄光材又はブラックライト用発光材の発光により当該ディスクの所在を明確に認識することができ、トレイからディスクの取り出しを容易に行うことができるといった効果がある。
【図面の簡単な説明】
【図１】光源として蛍光ランプを用いた本発明の第１の実施の形態によるＤＶＤプレーヤの外観斜視図である。
【図２】同じくＤＶＤプレーヤの縦断面図である。
【図３】トレイに蓄光材料を施した一例の斜視図である。
【図４】トレイと蛍光ランプとの動作関係のブロック回路図である。
【図５】蓄光材料を施したディスクの外観斜視図である。
【図６】トレイとディスクの双方に蓄光材料を施した例のＤＶＤプレーヤの外観斜視図である。
【図７】トレイに蓄光材料を施した別の例の斜視図である。
【図８】トレイに蓄光材料を施したさらに別の例の斜視図である。
【図９】光源としてブラックライトを用いた本発明の第２の実施の形態によるＤＶＤプレーヤの外観斜視図である。
【図１０】同じくＤＶＤプレーヤの断面図である。
【図１１】光源としてブラックライトを用いた本発明の第３の実施の形態によるＤＶＤプレーヤの外観斜視図である。
【図１２】同じくＤＶＤプレーヤの断面図である。
【符号の説明】
１…ＤＶＤプレーヤ本体、２…フロントパネル、３…操作ボタン、５…トレイ出入れ口、６…ディスク、７…トレイ、７ａ，７ｂ…トレイ収容部、８，９…トレイの蓄光材料、１０…蛍光ランプ、１０…作動ボタン、１１…反射ミラー、１５…ディスクの蓄光材料、１６，１７…トレイの蓄光材料、１８…蓄光材料を施したディスク呼込み突起、１９…ブラックライト、２０…反射ミラー、２１…導光板、２１ａ…光入射面、２１ｂ…光射出面、２２…フィルター
【図１】
0004314756.tif 000002
【図２】
0004314756.tif 000003
【図３】
0004314756.tif 000004
【図４】
0004314756.tif 000005
【図５】
0004314756.tif 000006
【図６】
0004314756.tif 000007
【図７】
0004314756.tif 000008
【図８】
0004314756.tif 000009
【図９】
0004314756.tif 000010
【図１０】
0004314756.tif 000011
【図１１】
0004314756.tif 000012
【図１２】
0004314756.tif 000013